(57)【要約】      （修正有）【課題】奥深い位置にステープルを用いて纏束できる纏束装置を提供する。【解決手段】纏束機構２に固着する挟みアームａと挟みアームｂを有する。纏束機構２の纏束アーム５に挟みアームａを固着し、紙などを貫通したステープル３を内側に曲げる構造の受けアーム８に挟みアームｂを固着する。纏束アーム５とステープル装填アーム４および受けアーム８を咬合した部位に装置の支点１１を有する。【選択図】図１
0003175135.tif 000002
【実用新案登録請求の範囲】
【請求項１】
ステープルを用いて纏束できる構造を有し、深い部位の纏束を目的とした纏束機構に挟みアームを固着した構造の纏束装置。
【請求項２】
請求項１において、ステープルを用いて纏束できる纏束機構に支点を有する構造とし、挟みアームａと挟みアームｂを添設した構造の纏束装置。
【考案の詳細な説明】
【技術分野】
【０００１】  本考案は、紙やビニール膜（以下紙など）で物品を纏う際に、互いの自由端を重ね合わせて奥深い部位にステープルを用いて纏束する場合に用いる纏束装置に関する。
【考案の開示】
【考案が解決しようとする課題】
【０００２】  通常、紙などをステープルで纏束する場合は市販のホッチキスを用いて行い、紙などの自由端の浅い位置を挟んでステープルを貫通させて纏束する。【０００３】  しかし、従来から使われているホッチキスは、握る手指が邪魔になって深い部位はステープルで纏束ができない不便さがある。【０００４】  そのため、例えば紙などを用いて自由端を重ね合わせて物品を包装するときなどは、従来のホッチキスを用いることができず、便宜上セロテープやガムテープなどの粘着テープで纏束することが多い。【０００５】  また、薄い素材でも重ね合わせる枚数が多い場合は、作業する親指と人差指に相当な力を入れてホッチキスを握らなくては、ステープルを貫通できない不都合もある。【０００６】  本来、ホッチキスはステープルを用いて行える簡単な纏束器具として普及しているが、前述の場合、包装紙などの自由端を重ね合わせて纏束する作業に適さず、深い位置を纏束できない欠点があって、改善の余地を有するものである。【０００７】  この考案は、これらの問題を解決することを課題とする。
【課題を解決するための手段】
【０００８】  本考案は前述の課題を解決するため、従来のホッチキスの構造に加えて挟み機構を設けて、軽便にステープルを用いて深い部位を纏束できる構造を考案する。【０００９】  本考案は、ホッチキスの浅い部位の纏束を目的とした構造を除外し、挟み部分の奥ゆきを延伸し、より深い部位の挟み纏束が出来る長いアーム機構とする。【００１０】  本考案は、従来のホッチキスの握り部分を除外し、前述のアーム機構は一般の切りばさみに類似した形態の握り部分としてテコの応用で加える力を軽減できる構造とする。【００１１】  本考案は、［０００８］と［０００９］および［００１０］で述べた構造と機構を組み合わせた形態とし、ステープルを用いて深い部位を纏束できる構造とする。
【考案の効果】
【００１２】  本考案により、紙などの自由端を重ね合わせて深い部位の纏束が可能となり、従来のホッチキスによる浅い部位のみの纏束しかできなかった不自由が解消される。【００１３】  その結果、花束のラッピングなど、物品の包装等に利便性が生じることになり、紙やビニール膜の自由端を合わせた部分を、粘着テープなどで纏束していた従来の纏束作業が簡素化され、簡単にステープルであらゆる部位の纏束が可能となって、粘着テープなど纏束部材の節約と煩わしさが解消し纏束作業が簡素化されることとなる。【００１４】  その他、この考案の纏束機の構造は深い部位の纏束を必要とする場合に役立ち、従来できなかった部位の纏束が可能な器具の開発に応用ができる。【００１５】  また、この考案の纏束機の構造を応用することにより、挟みアームによりステープルを貫通させる力が増大するので、厚物を纏束する場合でも通常のホッチキスの機能に比して省力化が可能となり、簡単にステープルを貫通させて纏束することができる。
【考案を実施するための最良の状態】
【００１６】  纏束するためのステープルは、あらかじめホルダー部分に格納しておき、纏束行程が終わるたびにスプリングの力で一個のステープルを纏束出来る位置に送り出す仕組みとする。
【００１７】  送り出したステープルで纏束の役目をする爪部は、押し出した一個のステープルを、さらに強く押して纏束できる位置に配する。
【００１８】  纏束する行程は、押し出し爪が一個のステープルを強く押し出し、紙などをステープルが貫通し受けアームに達すると、受けアームの先端で内側に曲げて紙などが纏束できる。
【００１９】  これらの行程は、従来からホッチキスを用いて紙などをステープルで纏束する行程と類似した機構を有する構造となる。
【００２０】  本考案の纏束機は、切りばさみに類似した形状の挟み機構で操作するので、この挟み機構の挟みアームを対照的に設けて、それぞれに纏束できる機構の背面に位置して固着する。従って纏束にかかる握る力が少なくて済む。
【００２１】  この考案の挟みアームには支点が無く、纏束機構のアーム部分に支点を設ける。
【００２２】  そのため、纏束機構の各アームのステープルによる纏束部分は、纏束する場所により、纏束したい位置に従って深い位置に自由に移動させ、重ね合わせた紙などの自由端が纏束できることとなる。
【実施例】  以下、本考案による実施例を図面に基づいて説明する。【００２３】  図１と図２において本考案の纏束機１の纏束機構２は、ステープル３を格納するステープル装填アーム４と、纏束アーム５の押し出し爪６でステープル３を押し出し、紙などを貫通したステープル３の先端を内側に曲げて纏束できる構造を先端７に配した受けアーム８で纏束機構を構成するが、これらの仕組みは従来のホッチキスの構造に類似する。【００２３】  本考案の纏束機は図１と図２において、テコの働きをする挟みアームａとｂを交差させ、纏束アーム５はｄの部位と受けアーム８はｃの部位にそれぞれの背面に固着し、纏束アーム５と受けアーム８に力が加わり纏束機構２を働かすことになる。【００２４】  この場合、本考案の纏束機の支点は、図１において纏束機構２の支点１１に位置する。【００２５】  従って、図１において挟みアームａと挟みアームｂのグリップ１２と１３を矢印↓の方向に操作することによって支点１１を支点として纏束操作ができる。【００２６】  本考案の纏束機は、図１と図２においてグリップ１２と１３を握り合わせることによって、纏束アーム５に付随する押し出し爪６によって、一個のステープル３が押し出されて紙などの纏束する部位に貫通させ、貫通したステープル３の先は受けアーム８の先端７で内側に折り曲げられてその部位を纏束する。【００２７】  本考案の纏束機は、あらかじめ用途に応じて纏束アーム５とステープル装填アーム４および受けアーム８を延伸または短縮した形態を用いることによって万能となる。【００２８】  この場合、適宜にアームａとｂも延伸または短縮して添設する。【００２９】  結局、本考案の纏束機のグリップ１２と１３を握り合わせてアームａとｂを操作することによって纏束機構２が働き、押し出し爪６によってステープル３を突き出し、重ねた紙などの自由端をステープル３で貫通し、受けアーム８の先端７によってステープル３の先を自動的に内側に折り曲げて紙などが纏束できる。【００３０】  本考案の纏束機は以上の如き構造を操作することにょって、紙などの自由端を纏めて深い部位の纏束ができ、加える力も軽減される。
【産業上の利用可能性】
【００３１】  本考案は、従来のホッチキスの機能を改善し、深い部位の纏束に役立てられるため、纏束作業の簡素化と省力化に革命的な価値を有するものであり、従来の纏束作業が大きく改善されるので、産業上の利用可能性は大きい。【００３２】  本考案の構造を応用した纏束機は、生産性が高く工業的にも大量生産が可能であり、生産性にも優れるものである。【００３３】  本考案の纏束機は、規模の大小にかかわらず機能性に優れるものであって、産業上汎用性に富んでいる。従って、この技術は用途に応じた規模の纏束機に応用して生産することができる。
【図面の簡単な説明】
【００３４】
【図１】本考案の纏束機を側面から見た見取図。
【図２】本考案の纏束機を上面から見た見取図。
【符号の説明】
【００３５】１．  本考案の纏束機。
２．  纏束機の纏束機構。
３．  ステープル。
４．  ステープル装填アーム。
５．  纏束アーム。
６．  ステープルの押し出し爪。
７．  受けアームの先端。
８．  受けアーム。
９．  挟みアームａ。
１０．挟みアームｂ  。
１１．纏束機構の支点。
１２．挟みアームａのグリップ。
１３．挟みアームｂのグリップ。
ｃ．  挟みアームｂと受けアーム８の固着部位。
ｄ．  挟みアームａと纏束アーム５の固着部位。
↓↑，挟みアームａと挟みアームｂの動く方向。
【図１】
0003175135.tif 000003
【図２】
0003175135.tif 000004
【手続補正書】
【提出日】平成24年2月3日(2012.2.3)
【手続補正１】
【補正対象書類名】実用新案登録請求の範囲
【補正対象項目名】全文
【補正方法】変更
【補正の内容】
【実用新案登録請求の範囲】
【請求項１】
ステープルを用いて深い部位が纏束できる構造を有し長尺の二つのアーム構造を装置の纏束機構２に固着して挟みアームａと挟みアームｂによるテコの応用でステープルの貫通時の省力ができる纏束装置。
【請求項２】
請求項１に記載の纏束装置において纏束機構２の纏束アーム５に挟みアームａを固着し紙などを貫通したステープルを内側に曲げる構造の受けアーム８に挟みアームｂを固着した構造の纏束機構２における纏束アーム５とステープル装填アーム４および受けアーム８を咬合した部位に装置の支点１１を有することを特徴とした纏束装置。
【手続補正２】
【補正対象書類名】明細書
【補正対象項目名】全文
【補正方法】変更
【補正の内容】
【考案の詳細な説明】
【技術分野】
【０００１】  本考案は、紙やビニール膜（以下紙など）で物品や材料を纏う際に、互いの自由端を重ね合わせた奥深い部位にステープルを用いて纏束できる纏束装置に関する。
【考案の開示】
【考案が解決しようとする課題】
【０００２】  通常、紙などをステープルで纏束する場合は市販の纏束機を用いて行い、紙などの自由端の浅い位置を挟んでステープルを貫通させて纏束する。【０００３】  しかし、従来から使われている纏束機は、握る手指が邪魔になって深い部位はステープルで纏束が出来ない不便さがある。【０００４】  そのため、紙などを用いて自由端を重ね合わせて物品を纏束するときは、従来の纏束機を用いることができず、便宜上粘着テープなどで貼付することが多い。【０００５】  また、紙などの薄い素材でも重ね合わせる枚数が多い場合は、作業する親指と人差し指に相当な力を入れて纏束機の握り柄を握らなくては、思い通りにステープルを貫通できない不都合もある。【０００６】  本来、ホッチキス（商標登録）などはステープルを用いて行える手軽な纏束器具として普及しているが、前述の場合、包装紙などの自由端を重ね合わせて纏束する作業に適さず、深い部位を纏束できない欠点がある。
【課題を解決するための手段】
【０００７】  本考案は前述の課題を解決するため、従来の纏束機の構造を加味した構造に挟み機構を添設した纏束装置を開発し、より深い部位を挟んで纏束できる装置を考案する。【０００８】  本考案の纏束装置（以下纏束装置）は、ステープルの纏束機構の奥ゆきを延伸し、紙などの自由端を重ね合わせたときの奥深い部位が挟める構造に加えて、長尺のアーム状の挟みアームを添設する。【０００９】  纏束装置のアーム機構は、一般の切り鋏に類似した形態とし、アーム先端のグリップを握ることによってテコの応用で軽便に操作ができ、纏束の際に加える力が軽減できる構造とする。【００１０】  すなはち纏束装置は、［０００７］と［０００８］および［０００９］で述べた構造と機構によって構成し、重ねた自由端の奥深い部位が纏束できることとなる。
【考案の効果】
【００１１】  本考案により、紙などの自由端を重ね合わせた深い部位の纏束が可能となり、従来の纏束機では浅い部位しか纏束できなかった不便さが解消される。【００１２】  その結果、花束のラッピングなど物品の包装等に大きな利便性が生じることになり、紙やビニール膜の自由端を合わせた部分を粘着テープで纏束するような不便さが改善され、簡単にステープルを用いて従来より広範囲の部位の纏束が可能となり、粘着テープなどの部材の節約と煩わしさが解消され、従来の纏束作業が大きく簡素化される。【００１３】  その他、纏束装置の構造は深い部位の纏束に役立ち、従来ステープルを用いて出来なかった部位の纏束作業に役立つので、この種の器具の開発に応用ができる。【００１４】  また、纏束装置は、纏束機構に添設した挟みアームによりステープルを貫通し纏束する力が増大するので、厚物を纏束する場合でも通常の纏束機に比して省力化ができ、纏束作業に役立つこととなる。
【考案を実施するための最良の状態】
【００１５】  纏束するためのステープルは、あらかじめホルダー部分に格納しておき、纏束行程が終わるたびに押し出しスプリングで一個のステープルを送り出す仕組みとする。
【００１６】  送り出されたステープルで纏束する爪部は、送り出された一個のステープルを圧出し、紙などを貫通して受けアームにステープルの先端が達すると、受けアームの先端で内側に曲げられて纏束ができる位置に配する。
【００１７】  従って、纏束装置による紙などを纏束する行程は、ステープル押し出し爪が一個のステープルを押し出し、重ねた紙などの自由端を貫通し受けアームに達すると先端が内側に曲げられ纏束ができる。
【００１８】  この工程は、従来の纏束機を用いてステープルで紙などを纏束する行程と類似した構造によって行われる。
【００１９】  纏束装置は、切り鋏に類似した形態の挟みアームを対向的に添設し、挟みアームの素材は鋼鉄の如き堅い性質であり、握るグリップは指を通して握れる形状とする。
【００２０】  従って、纏束装置は纏束機構に支点を設け、纏束アームと受けアームに対向的に固着された挟みアームで操作するのでテコの原理で握る力が軽減されることになる。
【００２１】  纏束装置は、ステープルによる纏束を行う各アームが従来の纏束機より長尺であるため、紙などを纏束したい位置の選択が比較的に自由であり、重ね合わせた紙などの自由端の奥深い位置に纏束機構を移動させて従来より広い範囲をステープルで纏束ができることとなる。
【実施例】  以下、纏束装置の実施例を図面に基づいて説明する。【００２２】  図１と図２において、纏束装置１の纏束機構２はステープル３を格納するステープル装填アーム４と纏束アーム５およびステープル押し出し爪６と受けアーム８で構成し、纏束行程では、纏束しようとする紙などの自由端の選択した位置をステープル装填アーム４と受けアーム８の間に挿入して操作する。【００２３】  纏束装置１は、図１と図２においてテコの働きをする挟みアームａを纏束アーム５の固着部位ｄに固着し、同じく挟みアームｂを受けアーム８の固着部位ｃに固着する。【００２４】  従って、纏束行程では右利きの場合は右手の親指を挟みアームａのグリップ１３に通し、人差し指を挟みアームｂのグリップ１２に通して握り、挟みアームａとｂを挟みアームの動く方向↑↓の方向に握り合わせたり離すことで紙などの纏束作業ができることとなる。ただし、グリップ１２と１３の形状には方向性が無く左手にも同じ方法で適応できる。【００２５】  纏束行程では、挟みアームａとｂのグリップ１２と１３を矢印方向↓↑に握ることにより纏束アーム５に装備されているステープル押し出し爪６で押し出された一個のステープルが紙などの自由端を貫通し、ステープルが受けアーム８の先端７に達するとステープル３の先端が内側に曲げられ紙などを纏束できることとなる。【００２６】  これら場合、各図ではバネの構造を省略してあるが、ステープルの送り出しバネおよび纏束アーム５と受けアーム８およびステープル装填アーム４の復元バネが適宜に組み込まれており、纏束作業をしないときは図１に示す如くステープル装填アーム４と受けアームの先端７の間は開口するように仕組まれている。【００２７】  従って、前述した纏束機構２は、纏束機構の各アームを咬合した部位に支点１１を設け各アームは支点１１に支えられて作動することになる。【００２８】  また、纏束装置１の纏束機構２は、ステープル装填アーム４と纏束アーム５および受けアーム８を短縮したり延伸したもので構成し、それに見合って挟みアームａとｂを短縮したり延伸して構成すれば用途が万能となる。【００２９】  纏束装置は、以上の如く構成する仕組みによって紙などの自由端を纏めて深い部位の纏束が可能であり、加える力も軽減される。
【産業上の利用可能性】
【００３０】  本考案は、深い部位の纏束に役立つため物品の纏束作業が簡素化され、作業の省力化に革命的な価値を有する装置であり、従来の纏束作業が大きく改善されるので産業上の利用価値は大きいものである。【００３１】  纏束装置の構造を応用した纏束機は、生産性が高く工業的にも大量生産することが可能であり、非常に生産性にも優れるものである。【００３２】  纏束装置は、規模の大小にかかわらず機能性に優れるものであり、産業上の汎用性にも富んでいる。従って、この技術は用途に応じた規模の纏束機の構造として応用できるものであり、産業上の利用可能性に優れている。
【図面の簡単な説明】
【００３３】
【図１】纏束装置を側面から見た見取図。
【図２】纏束装置を上面から見た見取図。
【符号の説明】
【００３４】１．  纏束装置。
２．  纏束装置の纏束機構。
３．  ステープル。
４．  ステープル装填アーム。
５．  纏束アーム。
６．  ステープル押し出し爪。
７．  受けアームの先端。
８．  受けアーム。
１１．纏束機構の支点。
１２．挟みアームａのグリップ。
１３．挟みアームｂのグリップ。
ａ．  挟みアーム。
ｂ．  挟みアーム。
ｃ．  挟みアームｂと受けアーム８の固着部位。
ｄ．  挟みアームａと纏束アーム５の固着部位。
↓↑．挟みアームａと挟みアームｂの動く方向。